(57)【要約】【課題】難燃紙を用いたＲＦタグラベルにおいて，電子レンジが発するマイクロ波によって生じる熱に対する難燃性を高める。【解決手段】ＲＦタグラベル１は，自己消化性を有する難燃紙を用いた難燃性シート１０のサイズを，アンテナ１２１とこれと接合するＩＣチップ１２２から少なくともなるインレイ１２０を実装したインレイシート１２のサイズより大きくすることで，インレイシート１２と重なっている難燃性シート１０の部分による熱の吸熱効果に加え，インレイシート１２からはみ出している難燃性シート１０の余白部分１００による熱の拡散効果が得られるように構成されている。【選択図】図１
2020095520.tif 000002
【特許請求の範囲】
【請求項１】
自己消化性を有する難燃紙を用いた難燃性シートと，前記難燃性シートの裏面に積層した第１粘着層と，自己消化性を有するプラスチック樹脂製のベースシートの片面にアンテナとこれと接合するＩＣチップから少なくともなるインレイを実装し，前記インレイを実装した前記ベースシートの面が前記第１粘着層により前記難燃性シートと接着しているインレイシートと，前記インレイシートの裏面に積層した第２粘着層を有し，前記難燃性シートのサイズを前記インレイシートのサイズよりも大きくすることで，前記インレイシートと重なっている前記難燃性シートの部分による熱の吸熱効果に加え，前記インレイシートからはみ出している前記難燃性シートの余白部分による熱の拡散効果が得られるように構成したことを特徴とするＲＦタグラベル。
【請求項２】
カーボンインクを用いた印刷により前記アンテナを形成したことを特徴とする，請求項１に記載したＲＦタグラベル。
【発明の詳細な説明】
【技術分野】
【０００１】
本発明は，無線による個体識別で用いられる媒体であるＲＦ（Radio Frequency）タグに関する。
【背景技術】
【０００２】
コンビニエンスストアで販売されている弁当など，容器ごと電子レンジで加熱調理するレンジ食品の管理（販売管理など）に，ＲＦタグをシールラベル化したＲＦタグラベルを用いることが検討されている。
【０００３】
難燃性の低いＲＦタグラベルをレンジ食品の容器に貼り付け，そのままの状態でレンジ食品を電子レンジで加熱調理すると，ＲＦタグラベルが異常に発熱して，ＲＦタグラベルが破損したり，場合によっては，レンジ食品が発火したりする危険性がある。よって，容器ごと電子レンジで加熱調理するレンジ食品の管理に用いるＲＦタグラベルには，電子レンジが発するマイクロ波によって生じる熱に対する高い難燃性（耐熱性）が必要とされる。
【０００４】
電子レンジが発するマイクロ波に対する耐性を有し，かつ，人体に安全なＲＦタグとして，特許文献１において，アンテナとこれに接合するＩＣチップを実装するインレイのベースフィルム，または，アンテナとこれに接合するＩＣチップを被覆する難燃性シートの少なくとも一つの構成層材料に非ハロゲン系の難燃材入りの難燃性材料を用いるＲＦタグが開示されている。また，特許文献２では，ポリオレフィン系材料又はセラミックス材料からなる難燃性材料からなる基材で，アンテナとして機能するアンテナ導体とこれに金属接合するＩＣチップを挟んだ構成のＲＦタが開示されている。
【先行技術文献】
【特許文献】
【０００５】
【特許文献１】特開２００６−３３８５６３号公報
【特許文献２】特開２０１８−１４２１３９号公報
【発明の概要】
【発明が解決しようとする課題】
【０００６】
コンビニエンスストアで販売されている弁当のラベルには，食品名，原材料および消費期限など印字することが義務付けられている。これらの印字に用いるプリンタに対する印刷適性を考慮すると， ＲＦタグラベルの表面を覆うシートに紙基材となる難燃紙を用いることが望ましいが，ＲＦタグラベルの表面を覆うシートに紙基材を用いる場合，電子レンジが発するマイクロ波によって生じる熱に対するより高い難燃性があることが望ましい。
【０００７】
そこで，本発明は，表面を覆うシートに難燃紙を用いたＲＦタグラベルにおいて，電子レンジが発するマイクロ波によって生じる熱に対する難燃性を高めることを目的とする。
【課題を解決するための手段】
【０００８】
上述した課題を解決する本発明は，自己消化性を有する難燃紙を用いた難燃性シートと，前記難燃性シートの裏面に積層した第１粘着層と，自己消化性を有するプラスチック樹脂製のベースシートの片面にアンテナとこれと接合するＩＣチップから少なくともなるインレイを実装し，前記インレイを実装した前記ベースシートの面が前記第１粘着層により前記難燃性シートと接着しているインレイシートと，前記インレイシートの裏面に積層した第２粘着層を有し，前記難燃性シートのサイズを前記インレイシートのサイズよりも大きくすることで，前記インレイシートと重なっている前記難燃性シートの部分による熱の吸熱効果に加え，前記インレイシートからはみ出している前記難燃性シートの余白部分による熱の拡散効果が得られるように構成したことを特徴とするＲＦタグラベルである。なお，本発明では，ＲＦタグラベルの表面を覆うシートに前記難燃性シートを用いているので，電子レンジで誘導加熱しても，暖かくなるだけで火花を散らすことがないカーボンインクを用いた印刷により，前記アンテナを形成することが望ましい。
【発明の効果】
【０００９】
本発明に係るＲＦタグラベルでは，熱の吸熱効果に加え，熱の拡散効果が得られるため，電子レンジが発するマイクロ波によって生じる熱に対する難燃性はより高まる。
【図面の簡単な説明】
【００１０】
【図１】本実施形態に係るＲＦタグラベルの構造を説明する図。
【図２】インレイを説明する図。
【発明を実施するための形態】
【００１１】
ここから，本発明の好適な実施形態を記載する。なお，以下の記載は本発明の技術的範囲を束縛するものでなく，理解を助けるために記述するものである。
【００１２】
図１は，本実施形態に係るＲＦタグラベル１の構造を説明する図である。図１（ａ）は，ＲＦタグラベル１の層構成を説明する図で，図１（ａ）におけるＡ−Ａ’断面図である。図１（ｂ）は，ＲＦタグラベル１の表面を説明する図で，図１（ｃ）は，ＲＦタグラベル１の裏面を説明する図である。
【００１３】
図１（ａ）で図示したように，ＲＦタグラベル１は，自己消化性を有する難燃紙を用いた難燃性シート１０と，難燃性シート１０の裏面に積層した第１粘着層１１と，自己消化性を有するベースシート１２３の片面にアンテナ１２１とこれと接合するＩＣチップ１２２から少なくともなるインレイ１２０を実装し，インレイ１２０を実装したベースシート１２３の面が第１粘着層１１により難燃性シート１０と接着しているインレイシート１２と，インレイシート１２の裏面に積層した第２粘着層１３を有する。
【００１４】
図１（ａ）などで図示したように，難燃性シート１０のサイズはインレイシート１２のサイズより大きく，インレイシート１２は，第１粘着層１１を利用して難燃性シート１０の中央部に貼られ，図１（ｂ）で図示したように，ＲＦタグラベル１の表面は難燃性シート１０で全て覆わられている。
【００１５】
難燃性シート１０のサイズはインレイシート１２のサイズより大きいので，図１（ｃ）で図示したように，インレイシート１２からはみ出でた余白部分１００が難燃性シート１０の周縁に存在し，ＲＦタグラベル１の裏面は，インレイシート１２の裏面に積層した第２粘着層１３と，難燃性シート１０の余白部分１００に積層されている第１粘着層１１の部分が露出した状態になっており，これらがＲＦタグラベル１の貼り付けに利用される。本実施形態に係るＲＦタグラベル１では，ＲＦタグラベル１の裏面に露出している第１粘着層１１および第２粘着層１３を保護する剥離紙を積層でき，第１粘着層１１および第２粘着層１３には，アクリル系，ゴム系またはシリコーン系の粘着剤を利用できる。
【００１６】
ＲＦタグラベル１の表面を覆う難燃性シート１０に用いている難燃紙とは，脱水反応による吸熱効果を有するフィラーを含侵させた自己消化性のある紙を意味する。脱水反応による吸熱効果を有するフィラーとしては水酸化アルミニウムが有名で，水酸化アルミニウムは，２５０℃〜３５０℃で脱水反応（脱水分解）し，脱水反応することで高い吸熱効果を発揮する。
【００１７】
本実施形態に係るＲＦタグラベル１において，難燃性シート１０のサイズをインレイシート１２のサイズより大きくし，難燃性シート１０の周縁に余白部分１００を設けているのは，電子レンジが発するマイクロ波によって生じる熱に対する難燃性を高めるためである。
【００１８】
インレイシート１２には，アンテナ１２１やＩＣチップ１２２などの電気部品を含むインレイ１２０が実装されるので，インレイシート１２は，電子レンジが発するマイクロ波によって発熱し易い構造になっている。ＲＦタグラベル１の表面に用いた難燃性シート１０は吸熱効果を有するため，電子レンジが発するマイクロ波によってインレイシート１２が発熱しても，この熱は，インレイシート１２と重なっている難燃性シート１０の部分により吸熱される。
【００１９】
加えて，本実施形態に係るＲＦタグラベル１では，難燃性シート１０のサイズをインレイシート１２のサイズより大きくし，難燃性シート１０の周縁に余白部分１００を設けているので，インレイシート１２と重なっている難燃性シート１０の部分が吸熱した熱は，難燃性シート１０の余白部分１００に拡散し，拡散した熱は難燃性シート１０の余白部分１００で吸熱される。
【００２０】
このように，本実施形態に係るＲＦタグラベル１では，インレイシート１２と重なっている難燃性シート１０の部分による熱の吸熱効果に加え，インレイシート１２からはみ出している難燃性シート１０の余白部分１００による熱の拡散効果が得られるため，ＲＦタグラベル１の発熱が抑えられ，電子レンジが発するマイクロ波によって生じる熱に対する難燃性がより高まっている。
【００２１】
なお，電子レンジが発するマイクロ波によって生じる熱に対する難燃性の度合いは，フィラーを紙に含侵させる割合と難燃性シート１０の大きさに依存するので，ＲＦタグラベル１を用いて管理するレンジ食品の加熱調理時間に基づく実験によりこれらの値を決定するとよい。
【００２２】
ＲＦタグラベル１の表面を覆う難燃性シート１０に難燃紙を用い，プリンタに対する印刷適性を高めるコーティング層を難燃性シート１０の表面に積層させることで，様々なタイプのプリンタに対する印刷適性をＲＦタグラベル１に持たせることができる。例えば，感熱印刷に対する印刷適性を向上させるコーティング層は，顕色剤とロイコ染料を含むサーマル層になり，インクジェット印刷に対する印刷適性を向上させるコーティング層は，インクジェット印刷用のインク受容層になる。
【００２３】
ＲＦタグラベル１を構成するインレイシート１２について説明する。図２は，インレイシート１２を説明する図である。図２で図示したように，インレイシート１２は，アンテナ１２１とこれと接合するＩＣチップ１２２を少なくともベースシート１２３の片面に実装したシート状の媒体である。
【００２４】
電子レンジが発するマイクロ波によって生じる熱に対して高い難燃性をＲＦタグラベル１に持たせるためには，ＲＦタグラベル１の表側に配置するシート（ここでは，難燃性シート１０）のみならず，ＲＦタグラベルの裏側に配置するシート（ここでは，インレイシート１２のベースシート１２３）にも難燃性を持たせる必要がある。
【００２５】
ＲＦタグラベル１の裏側に配置するシートには印刷適性は必要ないので，自己消化性を有するプラスチック樹脂製のシートをインレイシート１２のベースシート１２３に用いることができる。自己消化性を有するプラスチック樹脂としては，ＰＣ（ポリカボネート），ＰＶＣ（塩化ビニール）を用いることができる。
【００２６】
図１で図示したように，インレイシート１２に実装するインレイ１２０のアンテナ１２１は，ＩＣチップ１２２を接合させたループ状の整合回路１２１ａに，表面抵抗値が１Ω/ｓｑ以上１０ｋΩ/ｓｑ以下になっている２枚の放射板１２１ｂ，ｃを接続させた構造になっている。２枚の放射板１２１ｂ，ｃは，整合回路１２１ａを挟む格好で配置されており，１枚の放射板１２１ｂは導波線路１２１ｄにより整合回路１２１ａと接続し，もう１枚の放射板１２１ｃは導波線路１２１ｅによる整合回路１２１ａと接続している。
【００２７】
電子レンジが発するマイクロ波によって生じる熱に対する難燃性を高める工夫はインレイ１２０のアンテナ１２１にも施すことができる。例えば，インレイ１２０のアンテナ１２１の角を丸くすると，アンテナ１２１の角からの放電を防ぐことができる。更に，アンテナ１２１の配線の間隔を大きくし，アンテナ１２１のコンデンサ容量をできるだけ小さくすることで，マイクロ波によるエネルギーがアンテナ１２１に蓄積するのを防止できる。図２では，左側の放射板１２１ｃを右側の放射板１２１ｂよりも整合回路１２１ａから遠ざけて配置している。なお，本実施形態に係るＲＦタグラベル１では，脱水反応による吸熱効果を有する難燃性シート１０をＲＦタグラベル１の表面を覆うシートに用いているので，電子レンジで誘導加熱しても，暖かくなるだけで火花を散らすことがないカーボンインクを用いた印刷により，アンテナ１２１を形成することが望ましい。
【符号の説明】
【００２８】
１    ＲＦタグラベル
１０  難燃性シート
１１  第１粘着層
１２  インレイシート
１２０  インレイ
１２１  アンテナ
１２２  ＩＣチップ
１２３  ベースシート
１３  第２粘着層
【図１】
2020095520.tif 000003
【図２】
2020095520.tif 000004